(57)【要約】      （修正有）【課題】  光により視認性を向上してジャム媒体の処理性を高めること。【解決手段】  搬送路の定着ユニットでジャムが発生し外部カバー１８が開放されると、ＣＰＵは、ジャム紙を照らす記録紙照明３４を点灯し、ジャム処理の操作手順に従って操作レバー３５などの操作部を操作するよう操作指示ランプ３５ａ，３６ａを順番に点灯すると共にメッセージを表示部４２に表示させる。このとき、操作すべき操作部以外のものがユーザにより操作されたときには、正しい操作部の操作指示ランプを点滅させてユーザに知らせる。また、搬送路のうち異なる位置でジャムが発生したときには、その位置に対応する記録紙照明を点灯し、ジャム処理の操作手順に従って操作指示ランプを順番に点灯する。【選択図】        図６
2006350223.tif 000002
【特許請求の範囲】
【請求項１】
外部から遮蔽された搬送路に記録媒体を搬送して画像を形成する画像形成装置であって、
前記搬送路で前記記録媒体が詰まった状態のジャム媒体を照らす位置に配置されている照明手段、
を備えた画像形成装置。
【請求項２】
前記照明手段は、トナー像が転写された記録媒体を搬送しながら加熱することにより該記録媒体に該トナー像を定着させる定着ユニットで詰まった前記ジャム媒体を照らす位置に配置されている、
請求項１に記載の画像形成装置。
【請求項３】
前記照明手段は、前記記録媒体を収容する収容部から前記搬送路に前記記録媒体を搬送する搬送ユニットで詰まった前記ジャム媒体を照らす位置に配置されている、
請求項１に記載の画像形成装置。
【請求項４】
請求項１〜３のいずれかに記載の画像形成装置であって、
前記搬送路での前記記録媒体のジャムの発生を検出するジャム検出手段と、
前記ジャム検出手段によってジャムの発生が検出されたあと前記搬送路を覆う遮蔽部が少なくとも開放されたときには前記ジャム媒体を照らすよう前記照明手段を制御する制御手段と、
を備えた画像形成装置。
【請求項５】
前記照明手段及び前記ジャム検出手段は、前記搬送路に複数配置されており、
前記制御手段は、複数のうちの１つの前記ジャム検出手段によって検出されたジャム媒体の位置に対応する複数のうちの１以上の前記照明手段により該ジャム媒体を照らすよう該照明手段を制御する、
請求項４に記載の画像形成装置。
【請求項６】
請求項４又は５のいずれかに記載の画像形成装置であって、
前記ジャム媒体を前記搬送路から除去する際に操作する操作部を光によりユーザに視認させて指示する指示手段、を備え、
前記制御手段は、前記操作部をユーザが視認するよう前記指示手段を制御する、
画像形成装置。
【請求項７】
外部から遮蔽された搬送路に記録媒体を搬送して画像を形成する画像形成装置であって、
前記搬送路で詰まったジャム媒体を該搬送路から除去する際に操作する操作部を光によりユーザに視認させて指示する指示手段と、
前記搬送路での前記記録媒体のジャムの発生を検出するジャム検出手段と、
前記ジャム検出手段によってジャムの発生が検出されたあと前記搬送路を覆う遮蔽部が少なくとも開放されたときには前記操作部をユーザが視認するよう前記指示手段を制御する制御手段と、
を備えた画像形成装置。
【請求項８】
前記制御手段は、前記ジャム媒体を前記搬送路から除去する際に前記操作部の操作手順にしたがって該操作部をユーザが視認するように１以上の前記指示手段を制御する、
請求項６又は７に記載の画像形成装置。
【請求項９】
前記制御手段は、前記ジャム媒体を前記搬送路から除去する際に前記操作手順と異なる前記操作部を操作したときには通常と異なる態様でユーザに指示するよう前記指示手段を制御する、
請求項８に記載の画像形成装置。
【請求項１０】
前記制御手段は、前記操作部をユーザが視認するよう前記指示手段を制御すると共に前記操作部の操作に関するメッセージを表示部に表示制御する、
請求項６〜９のいずれかに記載の画像形成装置。
【請求項１１】
外部から遮蔽された搬送路に記録媒体を搬送して画像を形成する画像形成装置のジャム処理方法であって、
（ａ）前記搬送路での前記記録媒体のジャムの発生を検出するステップと、
（ｂ）前記ステップ（ａ）でジャムの発生を検出したあと前記搬送路を覆う遮蔽部が少なくとも開放されたときには該搬送路で該記録媒体が詰まったジャム媒体を照らすよう照明手段を制御するステップと、
を含むジャム処理方法。
【請求項１２】
外部から遮蔽された搬送路に記録媒体を搬送して画像を形成する画像形成装置のジャム処理方法であって、
（ａ）前記搬送路での前記記録媒体のジャムの発生を検出するステップと、
（ｂ）前記ステップ（ａ）でジャムの発生を検出したあと前記搬送路を覆う遮蔽部が少なくとも開放されたときには、前記搬送路で詰まったジャム媒体を該搬送路から除去する際に操作する操作部を光によりユーザに視認させるよう指示手段を制御するステップと、
を含むジャム処理方法。
【請求項１３】
請求項１１又は１２に記載のジャム処理方法の各ステップを１又は複数のコンピュータに実現させるためのプログラム。
【発明の詳細な説明】
【技術分野】
【０００１】
本発明は、画像形成装置、ジャム処理方法及びそのプログラムに関する。
【背景技術】
【０００２】
従来、プリンタとしては、搬送路に用紙が残存していることを知らせるものが提案されている（例えば、特許文献１参照）。この特許文献１に記載されたプリンタは、用紙の有無により回動する検知部材と、この検知部材の回動に連動して搬送路のカバーに設けられた開口部（窓）に位置する警告部材とを搬送路に設け、検知部材の設けられた位置に用紙が残存していないときには開口部が開いており、用紙が残存しているときには開口部に警告部材が位置することにより搬送路に用紙が残存していることを目で見てわかる。このため、外部カバーを開けることなくジャムになった用紙（ジャム媒体）の存在の有無を判別できる。
【特許文献１】特開２００３−８１４８４号公報
【発明の開示】
【発明が解決しようとする課題】
【０００３】
しかしながら、この特許文献１に記載されたプリンタでは、搬送路が遮蔽部などにより遮蔽されている部分があったり搬送路が奥まった位置に配置されていたりすることがあり、ジャム媒体自体やジャム媒体を取り除く処理を行う際に操作するレバーやボタンなどが暗くて見にくく、ジャム媒体を処理しにくいことがあった。
【０００４】
本発明は、このような課題に鑑みなされたものであり、光により視認性を向上してジャム媒体の処理性を高めることができる画像形成装置、ジャム処理方法及びそのプログラムを提供することを目的とする。
【課題を解決するための手段】
【０００５】
本発明は、上述の目的を達成するために以下の手段を採った。
【０００６】
本発明の画像形成装置は、
外部から遮蔽された搬送路に記録媒体を搬送して画像を形成する画像形成装置であって、
前記搬送路で前記記録媒体が詰まった状態のジャム媒体を照らす位置に配置されている照明手段、
を備えたものである。
【０００７】
この画像形成装置では、外部から遮蔽された搬送路で前記記録媒体が詰まった状態のジャム媒体を照らす位置に照明手段が配置されており、暗くて見えにくい搬送路のジャム媒体を照らすことが可能である。したがって、光により視認性を向上してジャム媒体の処理性を高めることができる。
【０００８】
本発明の画像形成装置において、前記照明手段は、トナー像が転写された記録媒体を搬送しながら加熱することにより該記録媒体に該トナー像を定着させる定着ユニットで詰まった前記ジャム媒体を照らす位置に配置されていてもよい。定着ユニットでは、加熱や加圧を行うことによりトナー像を定着させるため記録媒体のジャムの発生が起きやすい。したがって、定着ユニットに本発明を適用する意義が高い。
【０００９】
本発明の画像形成装置において、前記照明手段は、前記記録媒体を収容する収容部から前記搬送路に前記記録媒体を搬送する搬送ユニットで詰まった前記ジャム媒体を照らす位置に配置されていてもよい。搬送ユニットでは、収容部に収容されている記録媒体を１枚ずつすべらせて搬送路に送り出すことからジャムの発生が多いため、搬送ユニットに本発明を適用する意義が高い。
【００１０】
本発明の画像形成装置は、前記搬送路での前記記録媒体のジャムの発生を検出するジャム検出手段と、前記ジャム検出手段によってジャムの発生が検出されたあと前記搬送路を覆う遮蔽部が少なくとも開放されたときには前記ジャム媒体を照らすよう前記照明手段を制御する制御手段と、を備えていてもよい。こうすれば、遮蔽部が開放されたときにはジャム媒体が照らされて見やすくなるため、ユーザがジャム媒体の処理をしやすい。
【００１１】
本発明の画像形成装置において、前記照明手段及び前記ジャム検出手段は、前記搬送路に複数配置されており、前記制御手段は、複数のうちの１つの前記ジャム検出手段によって検出されたジャム媒体の位置に対応する複数のうちの１以上の前記照明手段により該ジャム媒体を照らすよう該照明手段を制御してもよい。こうすれば、搬送路のうちどこにジャム媒体が存在しているのかをユーザが視認することができる。
【００１２】
本発明の画像形成装置は、前記ジャム媒体を前記搬送路から除去する際に操作する操作部を光によりユーザに視認させて指示する指示手段、を備え、前記制御手段は、前記操作部をユーザが視認するよう前記指示手段を制御してもよい。こうすれば、ジャム媒体を搬送路から除去する際に操作する操作部を光によりユーザが視認可能であるため、一層ジャム媒体の処理性を高めることができる。ここで、「指示手段」は、ユーザが前記ジャム媒体を前記搬送路から除去する際に操作する操作部に配置され点灯することにより該操作部をユーザに指示するものであってもよいし、ユーザが前記ジャム媒体を前記搬送路から除去する際に操作する操作部を照らし出すことにより該操作部をユーザに指示するものであってもよい。
【００１３】
あるいは、本発明の画像形成装置は、
外部から遮蔽された搬送路に記録媒体を搬送して画像を形成する画像形成装置であって、
前記搬送路で詰まったジャム媒体を該搬送路から除去する際に操作する操作部を光によりユーザに視認させて指示する指示手段と、
前記搬送路での前記記録媒体のジャムの発生を検出するジャム検出手段と、
前記ジャム検出手段によってジャムの発生が検出されたあと前記搬送路を覆う遮蔽部が少なくとも開放されたときには前記操作部をユーザが視認するよう前記指示手段を制御する制御手段と、
を備えたものとしてもよい。
【００１４】
この画像形成装置では、搬送路での記録媒体のジャムの発生を検出し、該ジャムの発生が検出されたあと搬送路を覆う遮蔽部が少なくとも開放されたときには、搬送路で詰まったジャム媒体を該搬送路から除去する際に操作する操作部を、光によりユーザが視認するよう指示手段を制御する。したがって、光により視認性を向上してジャム媒体の処理性を高めることができる。
【００１５】
本発明の画像形成装置において、前記制御手段は、前記ジャム媒体を前記搬送路から除去する際に前記操作部の操作手順にしたがって該操作部をユーザが視認するように１以上の前記指示手段を制御してもよい。こうすれば、ジャム媒体の処理の操作手順にしたがって順次操作すべき操作部が光により指示されるため、ユーザは操作手順を容易に知ることができ、ひいてはジャム媒体の処理性を高めることができる。
【００１６】
本発明の画像形成装置において、前記制御手段は、前記ジャム媒体を前記搬送路から除去する際に前記操作手順と異なる前記操作部を操作したときには通常と異なる態様でユーザに指示するよう前記指示手段を制御してもよい。こうすれば、操作手順と異なる操作部を操作したことをユーザが認識可能であるため、間違った操作を行ったことをユーザに知らせることができる。
【００１７】
本発明の画像形成装置において、前記制御手段は、前記操作部をユーザが視認するよう前記指示手段を制御すると共に前記操作部の操作に関するメッセージを表示部に表示制御してもよい。こうすれば、操作手順を更にメッセージで確認しながらジャム媒体を処理可能であるため、間違った操作をユーザが行ってしまうのを抑制しやすい。
【００１８】
本発明のジャム処理方法は、
外部から遮蔽された搬送路に記録媒体を搬送して画像を形成する画像形成装置のジャム処理方法であって、
（ａ）前記搬送路での前記記録媒体のジャムの発生を検出するステップと、
（ｂ）前記ステップ（ａ）でジャムの発生を検出したあと前記搬送路を覆う遮蔽部が少なくとも開放されたときには該搬送路で該記録媒体が詰まったジャム媒体を照らすよう照明手段を制御するステップと、
を含むものである。
【００１９】
このジャム処理方法では、外部から遮蔽された搬送路での記録媒体のジャムの発生を検出し、該ジャムの発生を検出したあと搬送路を覆う遮蔽部が少なくとも開放されたときには、暗くて見えにくい搬送路のジャム媒体を照らすよう照明手段を制御する。したがって、光により視認性を向上してジャム媒体の処理性を高めることができる。なお、このジャム処理方法において、上述した画像形成装置の種々の態様を採用してもよいし、また、上述した画像形成装置の機能を実現するようなステップを追加してもよい。
【００２０】
あるいは本発明のジャム処理方法は、
外部から遮蔽された搬送路に記録媒体を搬送して画像を形成する画像形成装置のジャム処理方法であって、
（ａ）前記搬送路での前記記録媒体のジャムの発生を検出するステップと、
（ｂ）前記ステップ（ａ）でジャムの発生を検出したあと前記搬送路を覆う遮蔽部が少なくとも開放されたときには、前記搬送路で詰まったジャム媒体を該搬送路から除去する際に操作する操作部を光によりユーザに視認させるよう指示手段を制御するステップと、
を含むものであってもよい。
【００２１】
このジャム処理方法では、搬送路での記録媒体のジャムの発生を検出し、該ジャムの発生が検出されたあと搬送路を覆う遮蔽部が少なくとも開放されたときには、搬送路で詰まったジャム媒体を該搬送路から除去する際に操作する操作部を光によりユーザが視認するよう指示手段を制御する。したがって、光により視認性を向上してジャム媒体の処理性を高めることができる。なお、このジャム処理方法において、上述した画像形成装置の種々の態様を採用してもよいし、また、上述した画像形成装置の機能を実現するようなステップを追加してもよい。
【００２２】
本発明のプログラムは、上述したジャム処理方法の各ステップを１又は複数のコンピュータに実行させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか複数のコンピュータに分散して実行させれば、上述したジャム処理方法の各ステップが実行されるため、上述したジャム処理方法と同様の作用効果が得られる。
【発明を実施するための最良の形態】
【００２３】
次に、本発明を実施するための最良の形態を図面を用いて説明する。
【００２４】
図１は、本発明の一実施形態であるプリンタ１０の構成の概略を示す構成図であり、図２は、外部カバー１８を開放したプリンタ１０の斜視図であり、図３は、プリンタ１０の構成の概略を示すブロック図である。
【００２５】
プリンタ１０は、図１に示すように、単一感光体方式と中間転写方式とを採用したフルカラーの電子写真方式の印刷装置として構成され、感光体２２の表面を帯電させる帯電器２１と、シアン（Ｃ）、マゼンタ（Ｍ）、イエロー（Ｙ）、ブラック（Ｋ）の４色に色分解された各色ごとの画像の静電潜像を帯電された感光体２２上に形成させる露光器２３と、装着された各色のトナーカートリッジ２４Ｃ，２４Ｍ，２４Ｙ，２４Ｋから供給される各色のトナーを用いて感光体２２上に形成された静電潜像をトナー像として現像する現像器２４と、現像したトナー像を重ね合わせるよう１次転写する中間転写体としての転写ベルト２５と、記録紙トレイ２６から搬送ユニット２７により搬送された記録紙Ｓに転写ベルト２５上に形成された４色のトナー像を２次転写する２次転写ユニット２８と、記録紙Ｓ上に転写された４色のトナー像を記録紙Ｓに溶融し定着させる定着ユニット２９と、を備えたものである。現像器２４は、装着された各トナーカートリッジ２４Ｋ，２４Ｃ，２４Ｍ，２４Ｙがそれぞれ感光体２２に対向するように回転可能に構成されている。また、帯電体２１は、ワイヤに高電圧を印加しコロナ放電によって発生したイオンを利用して感光体２２を帯電させるものである。露光器２３は、モータで回転駆動されるポリゴンミラーによってスキャニングされるレーザ光により感光体２２を露光するものである。なお、本明細書では、便宜的に「紙」を用いて説明するが、これは記録媒体の材質を限定する趣旨ではなく、例えば記録紙にはフィルムなど印刷可能なものも含む。
【００２６】
このプリンタ１０の搬送路１９には、記録紙Ｓの有無を検出する記録紙センサ３２ａ，３２ｂ，３２ｃや、搬送路１９で詰まったジャム紙を照明する記録紙照明３４，３７が配置されている。記録紙センサ３２ａ，３２ｂ，３２ｃは、接触式のマイクロスイッチセンサであり、記録紙Ｓが搬送され記録紙Ｓの先端部分がセンサ位置を通過するとオンの信号を出力し、記録紙Ｓの後端部分がセンサ位置を通過するとオフの信号を出力する。記録紙センサ３２ａは、搬送路１９のうち搬送ユニット２７の下流近傍に配置されており、搬送ユニット２７下流での記録紙Ｓの通過を検出する。記録紙センサ３２ｂは、搬送路１９のうち二次転写ユニット２８近傍に配置されており、二次転写ユニット２８近傍での記録紙Ｓの通過を検出する。また、記録紙センサ３２ｃは、搬送路１９のうち定着ユニット２９の上流近傍に配置されており、定着ユニット２９近傍での記録紙Ｓの通過を検出する。記録紙照明３４，３７は、電力の供給を受けて発光することにより搬送路１９で詰まった記録紙Ｓ（ジャム紙）などを照らすものであり、例えば白色発光ダイオードなどにより構成されている。この記録紙照明３４は、定着ユニット２９の上流で詰まった記録紙Ｓ（ジャム紙）を照らすように搬送路１９のうち定着ユニット２９の上流近傍に配置されている。また、記録紙照明３７は、搬送ユニット２７の下流で詰まった記録紙Ｓを照らすように搬送路１９のうち搬送ユニット２７の下流近傍に配置されている。
【００２７】
次に、外部カバー１８を開放したときのプリンタ１０の内部について図２に基づいて説明する。図２に示すように、通常、外部カバー１８を開放したときには、プリンタ１０の内部は暗くて見えにくい状態となる。外部カバー１８を開放したプリンタ１０の開口部には、その略中央にジャム紙を取り除く際に開放される転写部カバー３１が設けられ、この転写部カバー３１の下側に搬送部カバー３３が配置されている。また、この開口部内には、ジャム紙を搬送路１９から除去する際にユーザが操作する操作部としての操作レバー３５，３８及び操作ローラ３６，３９が配置されている。操作レバー３５及び操作ダイヤル３６は、図２における転写部カバー３１の上部右側に配置されている。この操作レバー３５は、手前側に回動可能にその上部が軸支されている。このプリンタ１０では、操作レバー３５を手前側に回動すると、図示しないフックが連動し転写部カバー３１の固定が解除されて転写部カバー３１の下側を軸中心として該転写部カバー３１が手前側に開放されるように構成されている（後述の図６参照）。操作レバー３５のユーザが掴む部分には、点灯可能な操作指示ランプ３５ａが配設されている。操作ダイヤル３６は、定着ユニット２９で紙詰まり（ジャム）が発生したときに該操作ダイヤル３６を回すことによってジャム紙を移動させるものである。この操作ダイヤル３６の右側近傍には、点灯可能な操作指示ランプ３６ａが配設されている。なお、転写部カバー３１や操作ダイヤル３６には図示しないセンサがそれぞれ配設されており、転写部カバー３１が開放されたり操作ダイヤル３６が操作されたりしたときにはそれぞれのセンサよりコントローラ１１に信号を送信するようになっている。
【００２８】
また、搬送部カバー３３の上部右側には、操作レバー３８及び操作ダイヤル３９が配置されている。この操作レバー３８は、手前側に回動可能にその下部が軸支されている。プリンタ１０では、操作レバー３８を手前側に回動すると、図示しないフックが連動し搬送部カバー３３の固定が解除され、該搬送部カバー３３がその下側を軸中心として手前側に開放されるよう構成されている（後述の図７参照）。操作レバー３８のユーザが掴む部分には、点灯可能な操作指示ランプ３８ａが配設されている。操作ダイヤル３９は、搬送ユニット２７の下流でジャムが発生したときに該操作ダイヤル３９を回すことによってジャム紙を移動させるものである。この操作ダイヤル３９の右側近傍には、点灯可能な操作指示ランプ３９ａが配設されている。この搬送部カバー３３や操作ダイヤル３９には図示しないセンサがそれぞれ配設されており、搬送部カバー３３が開放されたり操作ダイヤル３９が操作されたりしたときにはコントローラ１１に信号を送信するようになっている。
【００２９】
また、プリンタ１０は、図３に示すように、コントローラ１１と操作パネル４０とを備えている。コントローラ１１は、周知のＣＰＵ１２を中心としたマイクロプロセッサとして構成されており、処理プログラムを記憶したＲＯＭ１３と、一時的にデータを記憶するＲＡＭ１４とを備えている。ＲＯＭ１３には、印刷中にジャムが発生した際に記録紙照明３４などを点灯制御するジャム処理プログラム１３ａが記憶されている。操作パネル４０は、各種情報を文字などの画像でディスプレイに表示する表示部４２と、ボタン操作又はパネルタッチにより各種情報をコントローラ１１に入力可能な入力部４４とを備えている。また、コントローラ１１は、入出力ポート（図示せず）を備え、入力部４４からの信号、記録紙センサ３２ａ，３２ｂ，３２ｃからの信号、転写部カバー３１や搬送部カバー３３に配設された図示しないセンサからの信号、操作ダイヤル３６，３９に配設された図示しないセンサからの信号などが入力ポートを介して入力され、表示部４２への信号、記録紙照明３４，３７への信号、操作指示ランプ３５ａ，３６ａ，３８ａ，３９ａへの点灯信号などが出力ポートを介して出力されている。
【００３０】
次に、こうして構成された本実施形態のプリンタ１０の動作について、まず、印刷の動作について説明する。プリンタ１０に接続された図示しないパソコンなどから印刷が指令されると、プリンタ１０のＣＰＵ１２は、受信した印刷データをＲＡＭ１４に記憶し、Ｃ，Ｍ，Ｙ，Ｋの４色のうちの１色の画像データを印刷データから読み出す。次に、ＣＰＵ１２は、帯電体２１により感光体２２を帯電させ、読み出した画像データに基づいて感光体２２の表面に露光器２３によりレーザ光を当て画像データの部分だけ電荷を弱めて静電潜像を形成し（露光）、トナーに電圧を印加し、帯電したトナーを感光体２２上の静電潜像に付着させて感光体２２上にトナー像を形成する（現像）。続いて、ＣＰＵ１２は、感光体２２上に形成されたトナー像を転写ベルト２５上に転写する（１次転写）。そして、Ｃ，Ｍ，Ｙ，Ｋの４色のうち上記処理を行っていないものがあるときには、その色について上記処理を行う。このとき、現像器２４を９０度ずつ切り替えて、各色のトナー像を順次現像させ、転写ベルト２５上に重ね合わせる。一方、４色のトナー像が転写ベルト２５上に重ねて形成された状態になっているときには、ＣＰＵ１２は、２次転写ユニット２８により転写ベルト２５上の４色のトナー像を搬送ユニット２７により搬送された記録紙Ｓ上へ２次転写する。最後に、ＣＰＵ１２は、定着ユニット２９にトナー像が形成された記録紙Ｓを搬送し、定着ユニット２９により加熱，加圧し、記録紙Ｓの表面に転写されたトナー像を記録紙Ｓ上に融解し定着させる。なお、印刷すべき次のページがあるときにはそのページについて上記処理を繰り返し行う。
【００３１】
次に、プリンタ１０のジャム処理の動作について説明する。図４は、コントローラ１１のＣＰＵ１２により実行されるジャム処理ルーチンのフローチャートであり、図５は、ジャム発生後の外部カバー１８を開放したときの説明図であり、図６は、定着ユニット２９でのジャム処理操作の説明図であり、図７は、搬送ユニット２７でのジャム処理操作の説明図である。ジャム処理制御ルーチンは、ＲＯＭ１３に記憶され、プリンタ１０が起動され印刷が開始されたあと所定のタイミングごと（例えば数ｍｓｅｃごとなど）にＣＰＵ１２によって実行される。
【００３２】
図４のルーチンが開始されると、ＣＰＵ１２は、記録紙Ｓの搬送路１９にジャムが発生しているか否かを判定する（ステップＳ１００）。ここで、ジャムの発生は、記録紙センサ３２ａ，３２ｂ，３２ｃの出力信号に基づいて行う。まず、正常に記録紙Ｓが搬送されるときの各記録紙センサ３２ａ，３２ｂ，３２ｃのオン・オフ出力のタイミングを予め経験的に求めておく。そして、実際の印刷時に、例えば記録紙センサ３２ａがオン出力したあと予め求めた所定のタイミングで下流側の記録紙センサ３２ｂがオン出力しないときには、ジャムが発生したと判定することができる。また、例えば記録紙センサ３２ａがオン出力したあと記録紙Ｓが通過するのに必要な時間を経過しても記録紙センサ３２ａからオフ出力されない場合には、ジャムが発生したと判定することができる。なお、この所定のタイミングや記録紙Ｓの通過に必要な時間には、紙すべりが起きたときの誤差を含めてもよい。
【００３３】
さて、ステップＳ１００で、搬送路１９にジャムが発生していないときには、ＣＰＵ１２は、そのままこのルーチンを終了し、搬送路１９にジャムが発生しているときには、ジャムの発生位置をＲＡＭ１４に記憶する（ステップＳ１１０）。ここで、ジャムの発生位置の把握方法について説明する。上述のように、所定時間を経過しても記録紙センサ３２ａがオン出力しなかったときには、そのセンサの上流でジャムが発生したことがわかる。また、記録紙センサ３２ａがオン出力したあと所定時間を経過しても記録紙センサ３２ａがオフ出力しなかったときには、そのセンサの配置されている位置でジャムが発生したことがわかる。記録紙センサ３２ｂ，３２ｃについても同様であり、これらのセンサからの出力に基づいてジャムの発生位置を把握する。ジャムの発生位置をＲＡＭ１４に記憶したあと、ＣＰＵ１２は、印刷を中止して記録紙Ｓの搬送を停止すると共に表示部４２にエラーメッセージを表示し（ステップＳ１２０）、外部カバー１８が開放されたか否かを判定する（ステップＳ１３０）。外部カバー１８が開放されたか否かの判定は、プリンタ１０本体に設けられ外部カバー１８の開放に伴ってオン出力する図示しないセンサの信号に基づいて行う。外部カバー１８が開放されていないときには、ＣＰＵ１２は、そのまま待機し、外部カバー１８が開放されたときには、ＲＡＭ１４に記憶されたジャムの発生位置に配置されている記録紙照明を点灯させる（ステップＳ１４０）。プリンタ１０では、記録紙照明３４と記録紙照明３７が搬送路１９に配置されており、ジャムの発生位置に近いいずれかの照明を点灯させジャム紙を照らすよう設定されている。例えば、定着ユニット２９でジャムが発生したときには、図５に示すように、記録紙照明３４を点灯させる。すると、ユーザは、プリンタ１０の開口部のうち定着ユニット２９の周りが明るくなっていることを視認するため、外部カバー１８を開放するだけで定着ユニット２９の近傍でジャムが発生していることを認識できる。
【００３４】
さて、ステップＳ１４０のあと、ＣＰＵ１２は、ジャム紙を搬送路１９から除去する処理（ジャム処理）で操作する操作部（例えば操作レバー３５）などに配設された操作指示ランプを点灯させ（ステップＳ１５０）、操作指示ランプの点灯している操作部を操作する旨のメッセージを表示部４２に表示させる（ステップＳ１６０）。次に、ＣＰＵ１２は、操作指示ランプの点灯している操作部が操作されたか否か、つまり、操作指示ランプの指示通りに操作されたか否かを判定する（ステップＳ１７０）。操作指示ランプの点灯している操作部が操作されたか否かの判定は、操作部や操作部の操作により作動するもの（例えば転写部カバー３１など）に配設されたセンサからの操作信号を受信したか否かに基づいて行う。操作指示ランプの点灯している操作部が操作されたときには、ジャム処理の一連の操作が終了したか否かを判定する（ステップＳ１８０）。ここで、ジャム処理の一連の操作は、ジャムの発生位置ごとに予め定められており、ＲＯＭ１３に記憶されている。例えば、定着ユニット２９でのジャム処理は、操作レバー３５を操作して転写部カバー３１を開放し、操作ダイヤル３６を回してジャム紙を排出させるよう設定されており、搬送ユニット２７でのジャム処理は、操作レバー３８を操作して搬送部カバー３３を開放し、操作ダイヤル３９を回してジャム紙を排出させるよう設定されている。ステップＳ１８０でジャム処理の一連の操作が終了していないときには、ステップＳ１５０〜Ｓ１８０の処理をジャム処理の一連の操作が終了するまで繰り返す。なお、ステップＳ１５０〜Ｓ１８０の繰り返し処理により、ジャムの発生位置に基づいたジャム処理の操作手順にしたがって操作指示ランプを順に点灯するように設定されている。
【００３５】
一方、ステップＳ１７０で操作指示ランプの点灯している操作部が操作されていないとき、つまり、操作指示ランプの指示通りに操作されていないときには、ＣＰＵ１２は、正しい操作部の操作指示ランプを通常と異なる態様で点灯させる（ステップＳ１９０）。ここでは、操作指示ランプを一定間隔で点滅させるよう設定されている。ステップＳ１９０のあと、ＣＰＵ１２は、ステップＳ１６０で正しい操作部を操作する旨のメッセージを表示部４２に表示させ、ステップＳ１７０で操作指示ランプの指示通りに操作されたか否かを判定し、操作指示ランプの指示通りに操作されていないときには、ステップＳ１６０〜Ｓ１７０の処理を繰り返し、操作指示ランプの指示通りに操作されたときには、ジャム処理の一連の操作が終了したか否かを判定する（ステップＳ１８０）。ジャム処理の一連の操作が終了していないときには、ＣＰＵ１２は、ステップＳ１５０〜Ｓ１９０の処理を繰り返す。
【００３６】
一方、ステップＳ１８０でジャム処理の一連の操作が終了したときには、ＣＰＵ１２は、ジャムが解消したか否かを判定する（ステップＳ２００）。ここでは、ジャムが解消したか否かの判定は、記録紙センサ３２ａ，３２ｂ，３２ｃのいずれもオフ出力しているか否かに基づいて行う。具体的には、搬送路１９に記録紙Ｓが存在しないときには、記録紙センサ３２ａ，３２ｂ，３２ｃのいずれもがオフ出力するようになっている。ステップＳ２００でジャムが解消していないときには、再度ステップＳ１５０〜Ｓ２００の処理を行う。具体的には、ジャム紙が搬送路１９から取り除かれるまでステップＳ１５０で操作指示ランプ３６ａを点灯させ、ステップＳ１６０で操作ダイヤル３６を操作してジャム紙を取り除く旨のメッセージを表示部４２に表示させる。なお、先の操作が戻されたとき（例えば転写部カバー３１が閉じられたとき）などは、先の操作を行うよう操作指示ランプの点灯制御と表示部４２の表示制御とを行う。
【００３７】
ここで、ステップＳ１５０〜Ｓ２００の処理について、図５、図６及び図７を用いて具体的に説明する。まず、定着ユニット２９でジャムが発生し、記録紙照明３４が点灯しているときの処理について説明する。外部カバー１８が開放されると、ＣＰＵ１２は、ＲＡＭ１４に記憶されたジャム位置である定着ユニット２９でのジャム処理の操作手順をＲＯＭ１３から読み出す。まず、ＣＰＵ１２は、操作指示ランプ３５ａを点灯させると共にメッセージを表示部４２に表示しユーザに操作レバー３５を操作するよう指示する。図５に示すように、プリンタ１０の内部は暗いため、操作指示ランプ３５ａが点灯されることにより操作レバー３５を操作することをユーザが視認しやすい。しかし、操作すべき操作レバー３５以外の操作部（例えば操作レバー３８など）がユーザにより操作されたときには、ＣＰＵ１２は、操作すべき操作レバー３５の操作指示ランプ３５ａを点滅させると共に操作指示ランプが点滅している操作部を操作する旨のメッセージを表示部４２に表示させる。操作指示ランプ３５ａが点滅するため、ユーザは違う操作部を操作したことに気付きやすい。そして、ユーザが操作レバー３５を操作すると、転写部カバー３１が開放される（図６参照）。このとき、記録紙照明３４が点灯しており、搬送路１９のうち定着ユニット２９でジャム紙が照らし出されて見やすい状態となっている。続いて、ＣＰＵ１２は、操作指示ランプ３６ａを点灯させると共にメッセージを表示部４２に表示しユーザに操作ダイヤル３６を操作するよう指示する（図６参照）。このとき、プリンタ１０の内部は暗いため、操作指示ランプ３６ａが点灯されることにより操作ダイヤル３６を操作することをユーザが視認しやすい。なお、操作指示ランプ３６ａを点灯するときには、先に点灯した操作指示ランプ３５ａを消灯させる。ユーザにより操作ダイヤル３６が操作されジャム紙が搬送路１９から取り除かれると、記録紙センサ３２ａ，３２ｂ，３２ｃがすべてオフ出力されて、ＣＰＵ１２は、ジャムが解消したと判定する。
【００３８】
次に、搬送ユニット２７の下流近傍でジャムが発生したときには、ＣＰＵ１２は、図７に示すように、記録紙照明３７を点灯させる。このとき、ユーザは、搬送部カバー３３が閉じていても、プリンタ１０の開口部のうち搬送ユニット２７の周りが明るくなっていることを視認するため、外部カバー１８を開放するだけで搬送ユニット２７の近傍でジャムが発生していることを認識できる。次に、ＣＰＵ１２は、操作指示ランプ３８ａと操作指示ランプ３９ａとを操作順に点灯させると共にそれに対応するメッセージを表示部４２に表示させることによりジャム処理の操作手順をユーザに指示する。ユーザによって操作レバー３８が操作されることにより搬送部カバー３３が開放され、操作ダイヤル３９が操作されることによりジャム紙が搬送路１９から取り除かれると、記録紙センサ３２ａ，３２ｂ，３２ｃがすべてオフ出力されるため、ＣＰＵ１２は、ジャムが解消したと判定する。なお、複数のジャムが略同時に発生した際には、ＣＰＵ１２は、先に発生したジャムの位置に対応する操作手順の指示を操作指示ランプ及び表示部４２を制御して行い、このジャム処理が終了したあと、次に発生したジャムの位置に対応する操作手順の指示を操作指示ランプの点灯制御及び表示部４２の表示制御により行う。
【００３９】
さて、ステップＳ２００でジャムが解消したときには、転写部カバー３１、搬送部カバー３３及び外部カバー１８などのカバーが閉じられたか否かをセンサの出力に基づいて判定し（ステップＳ２１０）、すべてのカバーが閉じられていないときにはそのまま待機し、全てのカバーが閉じられたときには記録紙照明を消灯させ（ステップＳ２２０）、印刷を再開すると共に印刷可能に復帰した旨のメッセージを表示部４２に表示させ（ステップＳ２３０）、このルーチンを終了する。
【００４０】
ここで、本実施形態の構成要素と本発明の構成要素との対応関係を明らかにする。本実施形態の記録紙照明３４及び記録紙照明３７が本発明の照明手段に相当し、記録紙センサ３２ａ，３２ｂ，３２ｃがジャム検出手段に相当し、操作指示ランプ３５ａ，３６ａ，３８ａ，３９ａが指示手段に相当し、ＣＰＵ１２が制御手段に相当する。また、外部カバー１８が遮蔽部に相当し、記録紙トレイ２６が収容部に相当し、操作レバー３５，３８及び操作ダイヤル３６，３９が操作部に相当する。なお、本実施形態では、プリンタ１０の動作を説明することにより本発明のジャム処理方法の一例も明らかにしている。
【００４１】
以上詳述した本実施形態のプリンタ１０によれば、外部から遮蔽された搬送路１９でのジャム紙を照らす位置に記録紙照明３４及び記録紙照明３７が配置されており、暗くて見えにくい搬送路１９のジャム紙を照らすことが可能である。したがって、記録紙照明３４や記録紙照明３７の光によりジャム紙の視認性を向上してジャム紙の処理性を高めることができる。
【００４２】
また、定着ユニット２９では、加熱や加圧を行うことによりトナー像を定着させるため記録紙Ｓのジャムの発生が起きやすいため、定着ユニット２９に本発明を適用する意義が高い。更に、搬送ユニット２７では、記録紙トレイ２６に収容されている記録紙Ｓを１枚ずつすべらせて搬送路１９に送り出すことからジャムの発生が多いため、搬送ユニット２７に本発明を適用する意義が高い。
【００４３】
更に、記録紙センサ３２ａ，３２ｂ，３２ｃによってジャムの発生を検出したあと搬送路１９を覆う外部カバー１８が少なくとも開放されたときにはジャム紙を照らすよう記録紙照明３４及び記録紙照明３７を制御するため、外部カバー１８が開放されたときにはジャム紙が照らされて見やすくなり、ユーザがジャム紙の処理をしやすい。また、記録紙センサ３２ａ，３２ｂ，３２ｃによって検出された位置のジャム紙を照らすよう記録紙照明３４及び記録紙照明３７のいずれかを制御するため、ジャム紙が搬送路１９のうちどこに存在しているのかをユーザが視認することができる。
【００４４】
更にまた、ジャム紙を搬送路１９から除去する際に操作する操作部（例えば操作レバー３５，３８や操作ダイヤル３６，３９）をユーザが視認するよう操作指示ランプ３５ａ，３６ａ，３８ａ，３９ａを点灯制御するため、ジャム紙を搬送路から除去する際に操作する操作部をユーザが光により視認可能であり、一層ジャム紙の処理性を高めることができる。また、ジャム紙を搬送路１９から除去する際にジャム紙の処理の操作手順にしたがって順次操作すべき操作部が操作指示ランプ３５ａ，３６ａ，３８ａ，３９ａの光により指示されるため、ユーザは操作手順を容易に知ることができ、ひいてはジャム紙の処理性を高めることができる。更に、ジャム紙を搬送路１９から除去する際に操作手順と異なる操作部を操作したときには通常と異なる態様（点滅）で操作指示ランプ３５ａ，３６ａ，３８ａ，３９ａを点灯制御するため、操作手順と異なる操作部を操作したことをユーザが認識可能であり、間違った操作を行ったことをユーザに知らせることができる。そして、表示部４２に表示するメッセージと対応して操作部をユーザが視認するよう操作指示ランプ３５ａ，３６ａ，３８ａ，３９ａを点灯制御するため、更にメッセージで操作手順を確認しながらジャム紙を処理可能であり、間違った操作をユーザが行ってしまうのを抑制しやすい。
【００４５】
なお、本発明は上述した実施形態に何ら限定されることはなく、本発明の技術的範囲に属する限り種々の態様で実施し得ることはいうまでもない。
【００４６】
例えば、上述した実施形態では、外部カバー１８が開放されたときには、ＣＰＵ１２が記録紙照明３４や記録紙照明３７を点灯制御するとしたが、操作パネル４０に記録紙照明３４や記録紙照明３７のスイッチを配設し、ユーザがこのスイッチを操作することにより記録紙照明３４や記録紙照明３７を点灯してもよい。こうしても、光によりジャム紙の視認性を向上してジャム紙の処理性を高めることができる。なお、記録紙照明は、搬送ユニット２７や定着ユニット２９以外の位置、例えば、両面ユニットや定着ユニット２９の下流などに配置してもよい。
【００４７】
また、上述した実施形態では、外部カバー１８が開放されたときには記録紙照明３４を点灯するとしたが、例えば、外部カバー１８が開放されたときには、操作指示ランプ３５ａを点灯して操作レバー３５の操作を指示し、操作レバー３５が操作されて転写部カバー３１が開放されたときには記録紙照明３４を点灯するとしてもよい。こうしても、光によりジャム紙の視認性を向上してジャム紙の処理性を高めることができる。なお、上述した実施例では、操作指示ランプ３５ａなどを点灯するときには、表示部４２にメッセージを表示するとしたが、このメッセージの表示を省略してもよい。
【００４８】
更に、上述した実施形態では、操作手順と異なる操作部をユーザが操作したときには、操作すべき操作部の操作指示ランプを点滅させるとしたが、ユーザが間違って操作した操作部のランプを点滅させ、間違った操作部を元に戻すよう指示したあと正しい操作部の操作指示ランプを点灯するようにしてもよい。こうすれば、間違って操作した操作部をそのままにしてジャム処理の操作を続けてしまうことを抑制することができる。
【００４９】
更にまた、上述した実施形態では、操作手順と異なる操作部をユーザが操作したときには操作すべき操作部の操作指示ランプを点滅させるとしたが、操作指示ランプ３５ａ，３６ａ，３８ａ，３９ａを複数の色で点灯可能に構成し、操作手順と異なる操作部をユーザが操作したときには、操作すべき操作部の操作指示ランプを通常とは異なる色で点灯するようにしてもよい。例えば通常は操作指示ランプを緑色に点灯させ、間違った操作をしたときには操作指示ランプを赤色で点灯させるなどする。こうしても、間違った操作を行ったことをユーザに知らせることができる。このとき、ユーザが間違って操作した操作部のランプを通常と異なる色で点灯すると共に操作すべき操作部の操作指示ランプを通常の色で点灯するようにしてもよい。こうすれば、間違った操作をした操作部と操作すべき操作部とを一度に視認することができる。
【００５０】
そして、上述した実施形態では、記録紙照明３４や記録紙照明３７によりジャム紙を見やすくすると共に、操作指示ランプ３５ａ，３６ａ，３８ａ，３９ａにより操作部の操作手順をユーザに見やすく指示するとしたが、記録紙照明３４や記録紙照明３７を省略し操作部の操作手順を操作指示ランプ３５ａなどで指示するだけでもよい。こうしても、光により操作部の視認性を向上してジャム紙の処理性を高めることはできる。
【００５１】
そしてまた、上述した実施例では、記録紙センサ３２ａ，３２ｂ，３２ｃは、接触式のマイクロスイッチセンサとしたが、これらのセンサを非接触式のセンサ、例えば記録紙Ｓが存在するときには光が遮蔽され記録紙Ｓが存在しないときには受光部に光を受けて信号を出力する光センサなどを用いてもよい。また、上述した実施例では、記録紙センサ３２ａ，３２ｂ，３２ｃによってジャムの発生及び発生位置を検出するとしたが、これに代えて又はこれに加えて、搬送路１９に設けられた記録紙Ｓを搬送する搬送ローラの回転数を検出する回転数センサをそれぞれの搬送ローラに設け、回転数センサによる回転数が所定の閾値を下回ったとき、つまり、搬送ローラの負荷がある値を超えたときに、その搬送ローラでジャムが発生したものとしてもよい。あるいは、搬送ローラを駆動するモータの電圧を検出する電圧計を配設し、この電圧計の検出値が所定の閾値を超えたか否かに基づいてジャムの発生を検出してもよい。
【００５２】
そして更に、上述した実施例では、電子写真方式を採用したカラーレーザプリンタとしたが、インクジェット方式を採用したフルカラーのプリンタや、熱転写式のカラープリンタや、ドットインパクト方式のカラープリンタとしてもよいし、これらのモノクロプリンタとしてもよい。また、プリンタ１０は、プリンタ機構のみを有するものとしたが、スキャナを搭載したマルチファンクションプリンタとしてもよいし、ＦＡＸ機やコピー機などの複合印刷装置としてもよい。なお、画像が記録された記録紙を搬送して該画像の読み取りを行うスキャナの搬送路などにも本発明を適用することができる。
【図面の簡単な説明】
【００５３】
【図１】本実施形態のプリンタ１０の構成の概略を示す構成図である。
【図２】外部カバー１８を開放したプリンタ１０の斜視図である。
【図３】本実施形態のプリンタ１０の構成の概略を示すブロック図である。
【図４】本実施形態のジャム処理ルーチンのフローチャートである。
【図５】ジャム発生後の外部カバー１８を開放したときの説明図である。
【図６】本実施形態の定着ユニット２９でのジャム処理操作の説明図である。
【図７】本実施形態の搬送ユニット２７でのジャム処理操作の説明図である。
【符号の説明】
【００５４】
１０  プリンタ、１１  コントローラ、１２  ＣＰＵ、１３  ＲＯＭ、１３ａ  ジャム処理プログラム、１４  ＲＡＭ、１８  外部カバー、１９  搬送路、２１  帯電器、２２  感光体、２３  露光器、２４  現像器、２４Ｃ，２４Ｍ，２４Ｙ，２４Ｋ  トナーカートリッジ、２５  転写ベルト、２６  記録紙トレイ，２７  搬送ユニット、２８  二次転写ユニット、２９  定着ユニット、３１  転写部カバー、３２ａ，３２ｂ，３２ｃ  記録紙センサ、３３  搬送部カバー、３４，３７  記録紙照明、３５，３９  操作レバー、３５ａ，３６ａ，３８ａ，３９ａ  操作指示ランプ、３６，３８  操作ダイヤル、４０  操作パネル、４２  表示部、４４  入力部、Ｓ  記録紙。
【図１】
2006350223.tif 000003
【図２】
2006350223.tif 000004
【図３】
2006350223.tif 000005
【図４】
2006350223.tif 000006
【図５】
2006350223.tif 000007
【図６】
2006350223.tif 000008
【図７】
2006350223.tif 000009